(57)【要約】【課題】  手元で印刷装置のステータスを確認できるリモコンと印刷装置とを備えた印刷システムを提供する。【解決手段】  印刷装置と該印刷装置を操作するリモコンとからなる印刷システムであって、印刷装置は、リモコンと双方向の無線通信を行なう無線通信手段と、印刷装置のステータスの情報および／または印刷装置の動作の情報を検出する検出手段と、検出した情報のリモコンへの送信を、リモコンからの要求なしで判断し、検出した情報を無線通信で送信する通信制御手段とを備え、リモコンは、印刷装置と双方向の無線通信を行なうリモコン無線通信手段と、印刷装置の印刷条件を設定する画面を表示するリモコン表示手段と、リモコン無線通信部で受信した印刷装置からの情報を解析するリモコン通信制御手段と、解析された情報を、リモコン表示手段に表示する表示制御手段とを備え、印刷装置の所定情報をリモコン側で表示する印刷システムとする。【選択図】        図４
2006116834.tif 000002
【特許請求の範囲】
【請求項１】
印刷装置と該印刷装置を操作するリモコンとからなる印刷システムであって、
前記印刷装置は、
前記リモコンと双方向の無線通信を行なう無線通信手段と、
前記印刷装置のステータスの情報および／または該印刷装置の動作の情報を検出する検出手段と、
前記検出した情報の前記リモコンへの送信を、該リモコンからの要求なしで判断し、該検出した情報を無線通信で送信する通信制御手段とを備え、
前記リモコンは、
前記印刷装置と双方向の無線通信を行なうリモコン無線通信手段と、
前記印刷装置の印刷条件を設定する画面を表示するリモコン表示手段と、
前記リモコン無線通信手段で受信した前記印刷装置からの情報を解析するリモコン通信制御手段と、
前記解析された情報を、前記リモコン表示手段に表示する表示制御手段とを備え、
前記印刷装置の情報を前記リモコン側で表示する印刷システム。
【請求項２】
請求項１に記載の印刷システムであって、
前記印刷装置の通信制御手段は、前記検出した情報の送信に先立って、タイミング信号を送信する手段を有し、
前記リモコン通信制御手段は、所定時間の経過と共に起動を停止し、省電力で該リモコンを制御する電源制御手段を備え、
前記電源制御手段は、前記印刷装置からの前記タイミング信号の受信と共に、前記リモコンを起動させる印刷システム。
【請求項３】
請求項１または２に記載の印刷システムであって、
前記印刷装置のステータスの情報は、少なくとも、インク残量、インク種類、用紙残量、用紙種類のいずれかの情報である印刷システム。
【請求項４】
請求項３に記載の印刷システムであって、
前記印刷装置の検出手段は、前記印刷装置に使用するインクの残量を検出し、前記通信制御手段は該インク残量の情報を前記リモコンへ送信する手段であり、
前記リモコンの表示制御手段は、前記受信したインク残量が所定値よりも少ない場合には、交換用のインクカートリッジの型番を前記リモコン表示手段に表示する印刷システム。
【請求項５】
請求項１ないし４のいずれかに記載の印刷システムであって、
前記印刷装置の動作の情報は、少なくとも、印刷、クリーニング、印刷終了のいずれかの情報である印刷システム。
【請求項６】
請求項５に記載の印刷システムであって、
前記印刷装置の印刷終了の動作の情報は、少なくとも、前記印刷装置の印字動作の終了を通報する情報、該印刷装置から出力され印刷物が排出トレイ上に残存することを通報する情報のいずれかである印刷システム。
【請求項７】
請求項１ないし６のいずれかに記載の印刷システムであって、
前記リモコンは、更に、所定の条件で音および／または光を発する報知手段を備え、
前記リモコンの表示制御手段は、前記リモコン表示手段への表示と共に、前記報知手段を用いて音および／または光を発する印刷システム。
【請求項８】
請求項７に記載の印刷システムであって、
前記報知手段は、ブザー音を鳴らすブザー回路である印刷システム。
【請求項９】
請求項７または８に記載の印刷システムであって、
前記所定の条件は、前記リモコンにおける印刷終了の動作の情報の受信時である印刷システム。
【請求項１０】
請求項１ないし９のいずれかに記載の印刷システムであって、
前記リモコンの表示制御手段は、前記受信した情報を記号化して表わした図形を、前記リモコン表示手段に表示する印刷システム。
【請求項１１】
請求項１ないし１０のいずれかに記載の印刷システムであって、
前記リモコンのリモコン通信制御手段は、ユーザが所望する前記印刷装置のステータスの情報および／または該印刷装置の動作の情報を判断し、該判断した情報の要求信号を前記リモコン無線通信を用いて前記印刷装置に送信する手段を有し、
前記印刷装置の通信制御手段は、前記情報の要求信号を受信した後に、該検出した情報を前記リモコン側へ送信する印刷システム。
【請求項１２】
請求項１１に記載の印刷システムであって、
前記リモコンは、前記印刷装置に送信を要求する該印刷装置側の情報に対応した専用のボタンを有するリモコン操作手段を備えた印刷システム。
【請求項１３】
リモコンによる遠隔操作で動作する印刷装置であって、
前記リモコンと双方向の無線通信を行なう無線通信手段と、
前記印刷装置のステータスの情報および／または該印刷装置の動作の情報を検出する検出手段と、
前記検出した情報の前記リモコンへの送信を、該リモコンからの要求なしで判断し、該検出した情報を無線通信で送信する通信制御手段と
を備えた印刷装置。
【請求項１４】
ステータスの情報および／または動作の情報を発信する印刷装置を操作するリモコンであって、
前記印刷装置と双方向の無線通信を行なうリモコン無線通信手段と、
前記印刷装置の印刷条件を設定する画面を表示するリモコン表示手段と、
前記リモコンからの要求なしで発信された前記印刷装置の情報を、前記リモコン無線通信手段を用いて受信し、当該情報を解析するリモコン通信制御手段と、
前記解析された情報を、前記リモコン表示手段に表示する表示制御手段と
を備えたリモコン。
【請求項１５】
印刷装置と該印刷装置を操作するリモコンとを備え、該印刷装置と該リモコンとの間で双方向に無線通信を行なう印刷システムにおいて、該印刷装置の情報を表示する表示方法であって、
前記印刷装置のステータスの情報および／または該印刷装置の動作の情報を検出し、
前記検出した情報の前記リモコンへの送信を該リモコンからの要求なしで判断して、該検出した情報を無線通信で前記リモコンへ送信し、
前記印刷装置から送信された情報を受信して、該情報を解析し、
前記解析された情報を前記リモコン側で表示する表示方法。
【発明の詳細な説明】
【技術分野】
【０００１】
本発明は、印刷装置を操作するリモコンに関し、詳しくは印刷装置のステータスを確認できるリモコンに関する。
【背景技術】
【０００２】
従来から、印刷装置用のリモコンを備え、リモコン操作によって印刷装置に動作指示を与え、所望する印刷物を出力するシステムがある。例えば、下記特許文献１には、ネットワーク上にある離れたデバイスとしての印刷装置を操作するリモコンが開示されている。かかるリモコンでは、遠く離れた印刷装置のステータスを取得することができるとされている。
【０００３】
【特許文献１】特開平１０−２４０４６１号公報
【０００４】
こうした印刷装置用のリモコンでは、ユーザがリモコン操作によって印刷装置のステータスを要求しなければ、リモコン側でステータスを取得することができなかった。つまり、リモコン操作を実行すれば、例えばインク残量などのステータスを確認することはできるが、こうした操作を実行しなければ、ステータスをユーザが認識することはできない。
【０００５】
例えば、印刷装置を目立たない部屋の隅に配置したり、別の部屋に配置するような場合には、リモコンを用いて離れた場所から印刷を実行した後に、印刷物を印刷装置の場所までに取りに行くのを忘れ、印刷装置の排出トレーに印刷物が放置されてしまう場合があった。つまり、ユーザは、リモコンの特徴である遠隔操作を活用して、離れた場所で種々の印刷操作を行なうため、プリンタの状況を直接把握することができなかった。
【発明の開示】
【発明が解決しようとする課題】
【０００６】
本発明は、こうした問題を踏まえて、ユーザに印刷装置の状態を通報し、手元で印刷装置のステータスを確認できるリモコン、そのリモコンにより操作する印刷装置、これらを備えた印刷システムを提供することを目的とする。
【課題を解決するための手段】
【０００７】
本発明の印刷システムは、上記課題の少なくとも一部を解決するため、以下の手法を採った。すなわち、印刷装置と該印刷装置を操作するリモコンとからなる印刷システムであって、前記印刷装置は、前記リモコンと双方向の無線通信を行なう無線通信手段と、前記印刷装置のステータスの情報および／または該印刷装置の動作の情報を検出する検出手段と、前記検出した情報の前記リモコンへの送信を、該リモコンからの要求なしで判断し、該検出した情報を無線通信で送信する通信制御手段とを備え、前記リモコンは、前記印刷装置と双方向の無線通信を行なうリモコン無線通信手段と、前記印刷装置の印刷条件を設定する画面を表示するリモコン表示手段と、前記リモコン無線通信手段で受信した前記印刷装置からの情報を解析するリモコン通信制御手段と、前記解析された情報を、前記リモコン表示手段に表示する表示制御手段とを備え、前記印刷装置の情報を前記リモコン側で表示することを要旨としている。
【０００８】
本発明の印刷システムに対応する印刷装置の情報の表示方法は、印刷装置と該印刷装置を操作するリモコンとを備え、該印刷装置と該リモコンとの間で双方向に無線通信を行なう印刷システムにおいて、該印刷装置の情報を表示する表示方法であって、前記印刷装置のステータスの情報および／または該印刷装置の動作の情報を検出し、前記検出した情報の前記リモコンへの送信を該リモコンからの要求なしで判断して、該検出した情報を無線通信で前記リモコンへ送信し、前記印刷装置から送信された情報を受信して、該情報を解析し、前記解析された情報を前記リモコン側で表示することを要旨としている。
【０００９】
本発明の印刷システム、および、この印刷システムに対応する印刷装置の情報の表示方法によれば、印刷装置は、印刷装置のステータス情報および／または動作情報を検出し、これをリモコン側へ送信する。リモコン側は、これを受けて、ステータス情報および／または動作情報を表示する。この際、印刷装置は、リモコン側からの情報の送信要求を受けることなく、印刷装置側から積極的にこうした情報を送信する。したがって、ユーザが印刷装置の状態を気にしなくても、手元のリモコンで印刷装置の情報を確認することができ、リモコンによる印刷の操作指示を行なうことができる。つまり、リモコン本来の機能を生かして、離れた場所からの印刷装置の操作を容易に行なうことができる。
【００１０】
上記の構成を有する印刷システムの印刷装置の通信制御手段は、前記検出した情報の送信に先立って、タイミング信号を送信する手段を有し、前記リモコン通信制御手段は、所定時間の経過と共に起動を停止し、省電力で該リモコンを制御する電源制御手段を備え、前記電源制御手段は、前記印刷装置からの前記タイミング信号の受信と共に、前記リモコンを起動させるものとすることができる。
【００１１】
かかる印刷システムによれば、リモコンは、通常、起動停止しており、印刷装置からのタイミング信号を受信すると共に起動を再開する。その後、印刷装置からの情報を受信して、これを表示する。例えば、所定時間、リモコンによる操作を実行しない場合には、リモコンの起動停止を行なうため、省電力でリモコンを制御することができる。
【００１２】
上記の構成を有する印刷システムのステータスの情報は、少なくとも、インク残量、インク種類、用紙残量、用紙種類のいずれかの情報であるものとしても良い。
【００１３】
かかる印刷システムによれば、印刷装置は、少なくとも、インク残量、インク種類、用紙残量、用紙種類のいずれかのステータスの情報を積極的に送信し、リモコンはこれを表示する。ユーザは、こうした印刷に関するステータス情報をリモコン側で予め認識することができ、意図せぬ印刷の実行等を未然に防止することができる。
【００１４】
上記の構成を有する印刷システムの印刷装置の検出手段は、前記印刷装置に使用するインクの残量を検出し、前記通信制御手段は該インク残量の情報を前記リモコンへ送信する手段であり、前記リモコンの表示制御手段は、前記受信したインク残量が所定値よりも少ない場合には、交換用のインクカートリッジの型番を前記リモコン表示手段に表示するものとしても良い。
【００１５】
かかる印刷システムによれば、印刷装置はインク残量の情報をリモコン側へ送信し、これを受信したリモコンは、インクが少ないと判断した場合に、インクカートリッジの型番を表示する。つまり、リモコン側でインク残量を確認できると共に、交換用のインクカートリッジの型番をも確認することができる。例えば、ユーザがマニュアル等から交換用の型番を調べる必要もない。したがって、ユーザの利便性を向上する印刷システムを構築することができる。
【００１６】
上記の構成を有する印刷システムの印刷装置の動作の情報は、少なくとも、印刷、クリーニング、印刷終了のいずれかの情報であるものとしても良い。
【００１７】
かかる印刷システムによれば、印刷装置は、少なくとも、印刷、クリーニング、印刷終了のいずれかの動作の情報を積極的に送信し、リモコンはこれを表示する。したがって、例えば印刷装置がユーザから直接見えない場所に配置されていたとしても、ユーザは手元のリモコンで、印刷装置の動作状況を把握することができる。
【００１８】
上記の構成を有する印刷システムの印刷装置の印刷終了の動作の情報は、少なくとも、前記印刷装置の印字動作の終了を通報する情報、該印刷装置から出力され印刷物が排出トレイ上に残存することを通報する情報のいずれかであるものとしても良い。
【００１９】
かかる印刷システムによれば、印刷装置は、印刷終了の動作の情報として、少なくとも、印字動作の終了情報、排出トレイ上の印刷物の残存情報のいずれかを積極的に送信し、リモコンはこれを表示する。したがって、ユーザは、印刷物が出力されたことを認識することができ、これを確認してから印刷装置まで印刷物を取りに行くことができる。
【００２０】
上記の構成を有する印刷システムのリモコンは、更に、所定の条件で音および／または光を発する報知手段を備え、前記リモコンの表示制御手段は、前記リモコン表示手段への表示と共に、前記報知手段を用いて音および／または光を発するものとすることができる。
【００２１】
かかる印刷システムによれば、リモコンは印刷装置から受信した情報の表示と共に、音および／または光を発する。つまり、リモコンは、印刷装置の情報の表示に加えて、音や光を発し、ユーザの視覚、聴覚に訴える。したがって、ユーザはより確実に印刷装置の情報を認識することができる。例えば、排出トレイ上の残存情報と共に、音を鳴らすことで、取りに行くのを忘れている印刷物があることをユーザに気付かせることができる。
【００２２】
上記の構成を有する印刷システムのリモコンの報知手段は、発行ダイオード，音声，メロディーなど、音や光を発信するものであれば、どのようなものでも良いが、特に、ブザー音を鳴らすブザー回路であるものとすることができる。
【００２３】
かかる印刷システムによれば、リモコンは印刷装置から受信した情報の表示と共に、ブザー音を鳴らす。例えば、ユーザは、リモコンを手放していても、ブザー音によって、印刷装置の情報を受信したことを認識することができる。
【００２４】
上記の構成を有する印刷システムのリモコンで音および／または光を発する所定の条件は、前記リモコンにおける印刷終了の動作の情報の受信時であるものとしても良い。
【００２５】
かかる印刷システムによれば、印刷装置から印刷終了の情報を受信したリモコンは、これを表示すると共に、音および／または光を発信する。例えば、リモコン操作による印刷の実行指示後、リモコンを放置しておいても、印刷終了の情報の受信により、ブザー音が鳴る。したがって、ユーザは印刷終了を認識し、印刷物を取りに行くことができる。
【００２６】
上記の構成を有する印刷システムのリモコンの表示制御手段は、前記受信した情報を記号化して表わした図形を、前記リモコン表示手段に表示するものとすることができる。
【００２７】
かかる印刷システムによれば、リモコンは印刷装置から受信した情報に対応する図形を表示する。こうした図形表示によって、ユーザは一目で、情報内容を理解することができる。また、例えば、文字等で情報を伝達する場合に比べ、比較的少ないスペースで情報内容を表示することができ、効率的な情報伝達を行なうことができる。
【００２８】
上記の構成を有する印刷システムのリモコン通信制御手段は、ユーザが所望する前記印刷装置のステータスの情報および／または該印刷装置の動作の情報を判断し、該判断した情報の要求信号を前記リモコン無線通信を用いて送信する手段を有し、前記印刷装置の通信制御手段は、前記情報の要求信号を受信した後に、該検出した情報を前記リモコン側へ送信するものとすることができる。
【００２９】
かかる印刷システムによれば、印刷装置は、リモコン側からの情報の要求信号を受信し、対応する情報を送信する。リモコンはこれを受信して、表示する。したがって、ユーザが所望するタイミングで、必要な印刷装置の情報を、リモコン側に表示することができる。
【００３０】
上記の構成を有する印刷システムのリモコンは、前記印刷装置に送信を要求する該印刷装置側の情報に対応した専用のボタンを有するリモコン操作手段を備えるものとしても良い。
【００３１】
かかる印刷システムによれば、リモコンは、ユーザが所望する所定情報に対応した専用ボタンを備えており、このボタン操作により、印刷装置は対応する印刷装置の情報をリモコン側に送信する。リモコンは、これを受信して表示する。したがって、ユーザは、専用ボタンの簡単な操作によって、所望する情報をリモコンで確認することができる。
【００３２】
本発明の印刷装置は、リモコンによる遠隔操作で動作する印刷装置であって、前記リモコンと双方向の無線通信を行なう無線通信手段と、前記印刷装置のステータスの情報および／または該印刷装置の動作の情報を検出する検出手段と、前記検出した情報の前記リモコンへの送信を、該リモコンからの要求なしで判断し、該検出した情報を無線通信で送信する通信制御手段とを備えたことを要旨としている。
【００３３】
本発明の印刷装置によれば、リモコンからの要求を受けることなく、積極的に印刷装置のステータス情報を発信する。したがって、リモコンに対して利便性を提供する印刷装置を構築することができる。
【００３４】
本発明のリモコンは、ステータスの情報および／または動作の情報を発信する印刷装置を操作するリモコンであって、前記印刷装置と双方向の無線通信を行なうリモコン無線通信手段と、前記印刷装置の印刷条件を設定する画面を表示するリモコン表示手段と、前記リモコンからの要求なしで発信された前記印刷装置の情報を、前記リモコン無線通信手段を用いて受信し、当該情報を解析するリモコン通信制御手段と、前記解析された情報を、前記リモコン表示手段に表示する表示制御手段とを備えたことを要旨としている。
【００３５】
本発明のリモコンによれば、リモコンは印刷装置が発信するステータスの情報および／または動作の情報を受信し、これを表示する。したがって、ユーザの手元でこうした情報を表示し、印刷装置の状況をユーザに把握させるリモコンを構築することができる。
【発明を実施するための最良の形態】
【００３６】
以下、本発明の実施の形態について、実施例に基づき以下の順序で説明する。
Ａ．印刷システムの構成：
Ｂ．トリガ処理：
Ｂ−１.ステータス情報の送信：
Ｂ−２．動作情報の送信：
Ｃ．変形例：
【００３７】
Ａ．印刷システムの構成：
図１は、本発明の一実施例としての印刷システムを示す概略構成図である。図示するように、本実施例の印刷システム１０は、カラー画像の印刷が可能なインクジェット方式のプリンタ２０と、このプリンタ２０を遠隔操作するリモコン５０とから構成されている。
【００３８】
プリンタ２０は、主に、ユーザインターフェイスとしての液晶ディスプレイ２２，操作パネル２４や、デジタルスチルカメラ等の画像データを記憶するメモリカードＭＣを装着するカードスロット２６等を備えている。液晶ディスプレイ２２は、ユーザの操作によって、メモリカードＭＣ内の画像や印刷条件を設定するための画面などを表示する。操作パネル２４は、複数のボタンを備えており、印刷画像、印刷条件の選択、実行操作の際に使用される。このプリンタ２０は、こうしたユーザインターフェイスを用いることで、プリンタ２０側で印刷画像、印刷条件を設定し、コンピュータを介すことなく、メモリカードＭＣ内の画像を直接的に印刷することができる。なお、カードスロット２６は、例えば、ＳＤメモリカード（登録商標）、コンパクトフラッシュ（登録商標）、スマートメディア（登録商標）などに対応したスロットを備えており、複数種類の記憶媒体を取扱うことができる。
【００３９】
リモコン５０は、主に、プリンタ２０の動作を操作するリモコン操作部５２、印刷条件などを表示するリモコン表示部５４等を備えている。リモコン操作部５２は、プリンタ２０の印刷動作を指示する各種ボタンを有し、リモコン表示部５４は、プリンタ２０の液晶ディスプレイ２２と同等のディスプレイを備えている。つまり、本実施例のリモコン５０は、プリンタ２０側のユーザインターフェイスと同程度の能力のインターフェイスを備えている。こうした能力を備えたリモコン５０側で印刷対象となる画像や印刷条件などを設定することで、離れた場所からプリンタ２０に動作指令を行なうことができる。
【００４０】
こうしたプリンタ２０とリモコン５０と通信には、双方向の無線通信を用いている。プリンタ２０、リモコン５０のそれぞれに、双方向の通信機能を備えることで、例えば、メモリカードＭＣ内の画像をリモコン５０側で確認することができ、あるいは、リモコン５０側からの印刷条件の指令に基づいて印刷を実行することができる。なお、双方向の通信機能としては、例えば、無線ＬＡＮ、ブルートゥース（登録商標）、赤外線通信など種々の無線通信を用いることができる。
【００４１】
図２は、このプリンタ２０の内部の概略構成を示したブロック図である。図示するように、プリンタ２０は、主に、制御ユニット３０，モータ駆動回路３１，ヘッド駆動回路３２，通信制御回路３３，ＣＲエンコーダ４０を始めとする各種検出部，前述の液晶ディスプレイ２２，操作パネル２４，カードスロット２６などのインターフェイスを備えている。
【００４２】
制御ユニット３０は、ＣＰＵ，ＲＯＭ，ＲＡＭ等を備え、プリンタ２０全体の動作を制御する。制御ユニット３０のＣＰＵは、ＲＯＭ内から各種処理プログラムを呼び出し、ＲＡＭに展開して印刷処理を実行する。ＲＯＭ内には、ラスタライズ、色補正、ハーフトニング、再配置等の各種処理を実行し、入力したＲＧＢ形式のデータで表現される静止画像を印刷可能な形式であるＣＭＹ形式のデータ、実際にはＣ，Ｍ，Ｙ，ＬＣ，ＬＭ，Ｋの各インクのドットデータに変換するプリンタドライバが記憶されており、コンピュータを介すことなく印刷を実行することができる。各種回路、検出部、インターフェイスなどは、この制御ユニット３０とバスや信号ラインにより接続されている。
【００４３】
モータ駆動回路３１は、印字ヘッド３７を搭載したキャリッジを主走査方向に駆動するＣＲモータ３５や、用紙を搬送するＰＦモータ３６等と電気的に接続し、制御ユニット３０の指示を受けて各モータの動作を制御する。ＣＲモータ３５は、図示しない駆動ベルトを回転させ、プラテン軸と並行に設置されたキャリッジを往復運動させている。ＰＦモータ３６は、プラテン軸を回転させることで、プリンタ２０に供給された用紙を搬送する。用紙は、プラテン軸の回転角度に応じて所定量だけ送られる。
【００４４】
往復運動するキャリッジの原点位置はＣＲエンコーダ４０により、用紙の紙送り量はＰＦエンコーダ４１により、それぞれ検出され、制御ユニット３０に出力される。制御ユニット３０は、こうした検出値に基づいて、モータ駆動回路３１に制御指示を出力している。
【００４５】
ヘッド駆動回路３２は、用紙にインクを吐出する印字ヘッド３７と電気的に接続し、制御ユニット３０の指示を受けて印字ヘッド３７の駆動を制御する。印字ヘッド３７は、ブラック，シアン，ライトシアン，マゼンタ，ライトマゼンタ，イエロの各色毎に計６個のインク吐出用のヘッドを備えている。キャリッジには、こうした印字ヘッド３７と共に、上記のインクを収納する各カートリッジが搭載されている。ヘッド駆動回路３２は、図示しないピエゾ素子の電圧を調整し、印字ヘッド３７のノズルを介して、各カートリッジからのインクを用紙へ吐出する。プリンタ２０は、こうして微小なドットを形成してカラー印刷を行なっている。
【００４６】
通信制御回路３３は、リモコン５０と双方向の無線通信を行なう通信部３８と電気的に接続し、リモコン５０から受信した操作指示の信号を解析し、あるいはプリンタ２０で発生したイベントや、ステータスなどの信号をリモコン５０へ送信する制御を行なう。特に、本実施例のプリンタ２０は、ステータス変更などのイベント発生のタイミングや、予め設定したタイミングで、プリンタ２０のイベント情報、ステータス情報などをリモコン５０側へ送信する。つまり、プリンタ２０側からリモコン５０側に、所定の情報を送信するタイミング信号（これをトリガ信号と呼ぶ）を送信する。こうしたプリンタ２０側からのタイミング信号の送信処理（トリガ処理と呼ぶ）については、後に詳しく説明する。
【００４７】
プリンタ２０は、検出部として、上述のＣＲエンコーダ４０，ＰＦエンコーダ４１に加え、インク残量検出部４２，用紙残量検出部４３，用紙種類検出部４４，トレー残存検出部４５などを備えている。制御ユニット３０は、こうしたプリンタ２０の状態を検出する検出部と電気的に接続して各種検出値を入力し、検出値に基づいてプリンタ２０の各種動作を制御している。
【００４８】
インク残量検出部４２は、印字ドット数をカウントし、ドット数に基づくインク使用量を算出し、これにヘッドのクリーニングで使用されるインク量などの補正を加えて、カートリッジ装着時のインク量から差し引くことで、インクの残量を検出している。こうしたソフト的なインク残量の検出手法に換えて、あるいは、こうした検出手法に加えて、インクカートリッジ内にインク残量のセンサを設け、このセンサの検出値を用いるものとしても良い。なお、「インク残量」は「インク使用量」と等価である。すなわち、インク量の観点から印刷可能を判断するには、インクの残量が所定値以上であることを基準としても良いし、インクの使用量が所定値以内であることを基準としても良い。
【００４９】
用紙残量検出部４３は、用紙を供給する給紙容器内に設けられたセンサによって給紙容器内に貯蔵された用紙の高さを検出し、これに基づいて用紙残量を検出している。用紙種類検出部４４は、ヘッドに搭載されたセンサによって用紙にあてた光の反射光を受光し、この光量に基づいて用紙の種類を判別している。トレー残存検出部４５は、排出トレーに設けられた光学センサによって、排出トレー上の印刷物の有無を判断している。
【００５０】
このプリンタ２０は、インターフェイスとして、液晶ディスプレイ２２，操作パネル２４，メモリカードスロット２６に加えて、ＵＳＢポート２８を備えている。ＵＳＢポート２８にＭＯ，ＣＤ−ＲＯＭ，ＨＤＤ等の外部記憶装置を接続することで、メモリカードＭＣ内の画像データを外部記憶装置に保存することができる。勿論、ＵＳＢポート２８にパーソナルコンピュータ（ＰＣ）を接続して、ＰＣ上で展開したデータを印刷することもできる。
【００５１】
なお、本実施例ではピエゾ素子を利用したインクジェット方式のプリンタ２０を用いているが、リモコンによる遠隔操作が可能であれば、他のインクジェット方式（例えばバブルジェット（登録商標）），熱転写方式のプリンタ、昇華型プリンタ、あるいはレーザプリンタ等、種々のものを用いることができる。
【００５２】
図３は、リモコン５０の内部の概略構成を示したブロック図である。図示するように、リモコン５０は、主に、リモコン制御ユニット５５，電源管理回路５９，リモコン通信制御回路５６，前述のリモコン操作部５２，リモコン表示部５４などを備えている。
【００５３】
リモコン制御ユニット５５は、ＣＰＵ，ＲＯＭ，ＲＡＭ等を備え、リモコン５０全体を制御する。リモコン制御ユニット５５のＣＰＵは、ＲＯＭ内から各種処理プログラムを呼び出し、ＲＡＭに展開して処理を実行する。ＲＯＭ内には、用紙種類、用紙サイズ、画質、レイアウトなどの印刷条件を設定する処理プログラムが記憶されており、リモコン操作部５２を介してユーザが印刷条件を設定することができる。なお、電源管理回路５９，リモコン通信制御回路５６，リモコン操作部５２，リモコン表示部５４は、この制御ユニット３０と内部バスにより接続されている。
【００５４】
電源管理回路５９は、主に、リモコン制御ユニット５５，リモコン表示部５４等と電気的に接続し、これらへの電源供給を管理している。例えば、所定時間、リモコン操作部５２を用いた操作が実行されなかった場合に、リモコンを省電力で制御するスリープモード（パワーＯＦＦモード）へ切替えている。電源管理回路５９は、リモコン操作部５２，リモコン通信制御回路５６とも電気的に接続し、リモコン操作部５２を用いたユーザ操作や、リモコン通信制御回路５６のプリンタ２０からの信号の受信によって、スリープモードを解除する。
【００５５】
リモコン通信制御回路５６は、プリンタ２０と双方向の無線通信を行なう通信部５７と電気的に接続し、リモコン制御ユニット５５の指示を受けて、リモコン５０側で設定した印刷条件等をプリンタ２０に送信し、あるいはプリンタ２０から受信したイベントや、ステータスなどの信号を解析して、リモコン制御ユニット５５に出力する。
【００５６】
プリンタ２０側から送信された所定情報を入力したリモコン制御ユニット５５は、その情報をリモコン表示部５４に表示する。なお、所定の情報がユーザへの注意、警告情報であるような場合には、リモコン制御ユニット５５は、リモコン表示部５４への表示と併せて、ブザー回路５８を制御してブザー音を鳴らす。
【００５７】
なお、リモコン操作部５２は、電源ボタン５２ａ，メニューボタン５２ｂ，ＯＫボタン５２ｃ，４方向の方向ボタン５２ｄや、プリンタ２０の各種ステータスを確認する専用の確認ボタン５３ａ〜５３ｄなどの複数のボタンを備えており、ユーザがこれらのボタンを操作することで、画像選択、印刷条件の設定などの操作を行なうことができる。
【００５８】
リモコン５０側での画像選択は、ユーザがリモコン５０のメニューボタン５２ｂを押し下げることで行なう。具体的には、メニューボタン５２ｂの操作に連動して表示されるメニュー画面から、画像選択の操作モードを実行すると、プリンタ２０側はメモリカードＭＣ内の画像データのサムネイルをリモコン５０側へ送信する。これを受けたリモコン５０は、リモコン表示部５４にサムネイル画像を表示する。ユーザは、表示されたサムネイル画像の中から、方向ボタン５２ｄ、ＯＫボタン５２ｃを操作して所望する画像を選択することができる。同様に、ユーザが、リモコン５０のメニュー画面から印刷条件の設定モードを実行し、ＯＫボタン５２ｃを操作すると、プリンタ２０は、選択された画像を設定された印刷条件に従って印刷する。
【００５９】
つまり、この印刷システム１０では、ユーザは、リモコン５０側で所望する画像を選択し、印刷条件を設定して、プリンタ２０側に印刷実行の指示を行なう。これを受けたプリンタ２０は、メモリカードＭＣ内から選択された画像を取り込み、指示を受けた印刷条件に従って印刷を実行する。
【００６０】
なお、本実施例の印刷システム１０では、プリンタ２０側にユーザインターフェイス（液晶ディスプレイ２２，操作パネル２４）を備えるものとしたが、リモコン５０側のユーザインターフェイス（リモコン表示部５４，リモコン操作部５２）により、プリンタ２０への指令を行なうことができるため、プリンタ２０側の液晶ディスプレイ２２，操作パネル２４は必ずしも必要ではない。
【００６１】
Ｂ．トリガ処理：
Ｂ−１.ステータス情報の送信：
次に、プリンタ２０側からリモコン５０側へタイミング信号を送信するトリガ処理の一例として、ステータス情報の送信について説明する。この処理は、プリンタ２０側において、ステータス情報としてのインク残量を確認する所定タイミング毎に、プリンタ２０のＣＰＵとリモコン５０のＣＰＵとのそれぞれで実行される。
【００６２】
図４は、インク残量情報送信時のトリガ処理のフローチャートである。図４（ａ）にはプリンタ２０側での処理を、図４（ｂ）にはリモコン５０側での処理を、それぞれ示している。図示するように、処理が開始されると、プリンタ２０はインク情報を確認する（ステップＳ４００）。具体的には、インク残量検出部４２からの検出値を受けて、現在のインク残量がどの程度のレベルかを判断している。インク残量のレベルは、残存量が十分ある「インク有」、残存量が少なく所定の閾値内である「インクニアエンド」、残存量がほとんどなく印刷不可能である「インクエンド」の３つのレベルが設定されている。
【００６３】
インク残量のレベルを認識したプリンタ２０は、リモコン５０側へトリガをかける（ステップＳ４１０）。具体的には、プリンタ２０の通信制御回路３３，通信部３８を介して、トリガ信号を発信する。なお、複数台のプリンタ、リモコンがある場合には、トリガ信号と共に、プリンタの機器情報（いわばプリンタＩＤ）を送信し、プリンタに対応するリモコンを特定するものとすれば良い。
【００６４】
リモコン５０は、プリンタ２０側から送信されたトリガ信号を受信する。通常、リモコン表示部５４は、消費電力の低減のためにスリープモードになっている。リモコン５０は、トリガ信号を受信すると起動し、送信許可の信号をプリンタ２０へ送信する（ステップＳ４３０）。なお、リモコン側が常時、起動状態である場合には、必ずしもトリガ信号の送受信のステップは必要とならない。
【００６５】
リモコン５０からの許可信号を受信したプリンタ２０は、インク残量のレベルの信号を送信し（ステップＳ４５０）、プリンタ２０側の処理を終了する。
【００６６】
リモコン５０は、このプリンタ２０からのインク残量のレベルの信号を受信し（ステップＳ４５５）、受信した信号が３つのレベルのどれに該当するかを判断する（ステップＳ４６５）。
【００６７】
ステップＳ４６５にて、受信信号が「インク有」の信号であると判断した場合には、リモコン表示部５４上に図５（ａ）に示す図形を表示し（ステップＳ４７２）、リモコン５０側の処理を終了する。なお、図５（ａ）に示す四角形は、インクカートリッジの形状を模式的に示しており、四角形の内部が黒く表示されることでインクが十分に残存することを意味している。
【００６８】
他方、ステップＳ４６５にて、受信信号が「インクニアエンド」の信号であると判断した場合には、リモコン表示部５４上に図５（ｂ）に示す図形を点滅して表示し（ステップＳ４７４）、リモコン５０側の処理を終了する。なお、図５（ｂ）に示す四角形の内部は、一部分のみ黒く表示される。こうした形状によってインクが少ないことを意味している。
【００６９】
さらに、ステップＳ４６５にて、受信信号が「インクエンド」の信号であると判断した場合には、リモコン表示部５４上に図５（ｃ）に示す図形を表示する（ステップＳ４７６）。図５（ｃ）に示す四角形の内部は、黒く表示される部分が存在せず、インクが無い状態であることを意味している。さらに、この場合には、一般的な警告表示用の図記号を併せて表示し、インクカートリッジの交換を促している。続いて、リモコン５０は、図６に示すように、予めリモコン５０に記憶された交換用のインクカートリッジの型番を表示し（ステップＳ４８０）、リモコン５０側の処理を終了する。
【００７０】
なお、交換用のインクカートリッジの型番の表示画面は、リモコン操作部５２のメニューボタン５２ｂ等を操作することで表示を終了するが、この状態で印刷実行のボタン操作は行なえない。ユーザが新品のインクカートリッジを装着すると、プリンタ２０はインク残量を検出し、リモコン５０へ情報を送信する。この情報を受けて、リモコン５０は図５（ｃ）の図形の表示を図５（ａ）の図形の表示に切り換える。こうした処理を経た後に、リモコン５０の印刷実行のボタン操作を行なうことができるようになる。
【００７１】
以上のステータス情報送信時のトリガ処理によれば、プリンタ２０側からリモコン５０側へ積極的にステータス情報を送信する。ユーザは、手元のリモコン５０によって、プリンタ２０の状況を認識することができる。すなわち、ユーザが無意識であっても、リモコン５０にプリンタ２０の状況が表示されることで、ユーザが表示に気が付き、プリンタ２０の状況を認識することができる。例えば、ユーザは、インク残量が不足している状態（「インクニアエンド」）を認識しているため、所望する印刷物が多量にある場合などは、印刷実行途中でインクエンドになる可能性も予測できる。こうした場合、ユーザは事前に対応することができるため、多量の印刷物の印刷実行後、暫らくしてからプリンタ２０に印刷物を取りに行って、初めて印刷が中断していることに気が付くようなことはない。つまり、リモコン５０側でプリンタ２０の状態を認識することができ、リモコン５０本来の機能である離れた場所での操作を確実に行なうことができる。
【００７２】
また、図形を用いたインク残量の表示によって、ユーザに対して、残存量を容易に認識させることができる。さらには、インクカートリッジの型番を表示するため、カートリッジの型番をマニュアル等で調べる必要もない。
【００７３】
なお、本実施例では、プリンタ２０の電源投入後の所定のタイミング毎に、プリンタ２０は、インク残量を検出し、リモコン５０へ情報を送信するものとしたが、プリンタ２０の印刷動作中に「インクニアエンド」、「インクエンド」等のイベントが発生したタイミングで、換言すると、印刷に継続に支障を来たす場合のみ、リモコン５０へ情報を送信するものとしても良い。この場合、新品のインクカートリッジの装着から、常時、リモコン５０側のリモコン表示部５４には、図５（ａ）の「インク有」の図形を表示する。つまり、プリンタ２０側で「インク有」のレベルであると判断した場合には、プリンタ２０からトリガをかけることはない。その後、「インクニアエンド」の検出と共に、プリンタ２０はリモコン５０へ情報を送信し、リモコン５０は図５（ｂ）の図形表示に切り換える。「インクエンド」の場合も同様に処理する。
【００７４】
あるいは、通常、「インク有」のレベルである場合には、リモコン表示部５４には、何も表示せず、「インクニアエンド」の検出と共に、プリンタ２０はリモコン５０へ情報を送信し、リモコン５０は図５（ｂ）の図形をポップアップして表示するものとしても良い。こうすることで定期的な通信を避け、効率的なシステムを構築することができる。また、「インクニアエンド」の情報を、ポップアップと共に点滅表示することで、ユーザにインク残存量が少ないことを認識させ、より一層、注意を喚起することができる。
【００７５】
本実施例では、インク残量をプリンタ側から積極的に送信するトリガ処理について説明したが、その他のステータス情報として、用紙残量、用紙種類などの情報であっても同様に処理できる。例えば、所定のタイミングで、用紙残量検出部４３、用紙種類検出部４４などの検出値からの検出値に基づいて、プリンタ２０側で現在のプリンタ２０の状態を判断し、リモコン５０側へトリガをかけ、各種ステータス情報を送信する。リモコン５０側では、ステータス情報を受信し、リモコン表示部５４上に、図形やメッセージ表示するものとすれば良い。また、装着されたインクカートリッジに基づいて判別されるインク種類を、所定のタイミング毎にリモコン５０側へ送信するものとしても良い。こうした各種ステータス情報を、リモコン５０側へ送信することで、ユーザはリモコン５０でプリンタ２０の状態を認識することができる。
【００７６】
Ｂ−２．動作情報の送信：
次に、トリガ処理の一例として、プリンタ２０の動作情報の送信について説明する。この処理は、プリンタ２０側において、動作情報としての印刷のシーケンス動作が終了（印字動作の終了）するタイミングで、プリンタ２０のＣＰＵとリモコン５０のＣＰＵとのそれぞれで実行される。
【００７７】
図７は、印刷動作終了送信時のトリガ処理のフローチャートである。図７（ａ）にはプリンタ２０側での処理を、図７（ｂ）にはリモコン５０側での処理を、それぞれ示している。図示するように、処理が開始されると、プリンタ２０は、リモコン５０側へトリガをかける（ステップＳ７００）。この処理は、図４のステップＳ４１０に示した処理と同様である。
【００７８】
リモコン５０は、プリンタ２０側から送信されたトリガ信号を受信し、送信許可の信号をプリンタ２０へ送信する（ステップＳ７３０）。この処理は、図４のステップＳ４３０に示した処理と同様である。
【００７９】
リモコン５０からの許可信号を受信したプリンタ２０は、印刷動作が終了した旨の情報を送信し（ステップＳ７５０）、プリンタ２０側の処理を終了する。
【００８０】
リモコン５０は、このプリンタ２０からの印作動作終了の情報を受信し、リモコン表示部５４上に「印刷終了」のメッセージを表示する（ステップＳ７７０）。
【００８１】
続いて、リモコン５０は、印刷動作終了の情報の受信から所定の間、ブザー音を鳴らし（ステップＳ７８０）、リモコン５０側の処理を終了する。
【００８２】
以上の動作情報送信時のトリガ処理によれば、プリンタ２０側で認識した印刷の終了を、ユーザの手元、あるいは、近くにあるリモコン５０側に表示する。例えば、リモコン５０操作による印刷指示後、印刷物の出力を待つ間、リモコン５０を手放していても、ブザー音でプリンタ２０での印刷終了を認識できる。なお、ブザー音に換えて、メロディーを流したり、音声による「印刷終了」のアナウンスを行なうものとしても良い。また、リモコン５０に、新たに発光ダイオード（ＬＥＤ）を設け、ＬＥＤの発光により、ユーザに報知するものとしても良い。あるいは、本実施例のリモコン表示部５４をバックライト付きに液晶ディスプレイとして、プリンタ２０からの情報の受信と共に、バックライトを点灯させるものとしても良い。
【００８３】
また、印字終了の動作情報に換えて、プリンタ２０の排出トレー上の印刷物の残存の情報を、リモコン５０に送信するものとしても良い。この場合、プリンタ２０は、トレー残存検出部４５での検出値に基づいて排出トレー上の印刷物を認識し、印刷物の認識から所定時間経過しても、なお印刷物が認識される場合に、その情報をリモコン５０に送信する。これを受けたリモコン５０は、例えば、印刷が終了している旨のメッセージを表示し、ブザー音を鳴らす。こうすることで、印刷物の取り忘れを防ぐことができる。
【００８４】
なお、リモコン５０のブザー回路５８は、紙づまりや用紙不足などのエラー発生時にも利用するものとしても良い。例えば、ＰＦエンコーダ４１の検出値に基づいて、プリンタ２０で紙づまりが判断された場合には、プリンタ２０は、そのエラー内容をリモコン５０に送信する。これを受けたリモコン５０は、リモコン表示部５４上に、例えば図８に示す図形を表示する。図８に示す略四角形の外形は、印刷用紙を模式的に表わしており、略四角形の内部に警告表示用の図記号を付すことで、プリンタ２０が「紙づまり状態」であることを示している。リモコン５０は、こうした表示と共に、ブザー回路５８を介してブザー音を鳴らす。このようにブザー音を利用することで、容易にプリンタ２０の異常をユーザに通報することができる。勿論、ブザー回路５８は、プリンタ２０からの各種情報をリモコン５０が受信したタイミングや、プリンタ２０とリモコン５０との間で情報を送受信するタイミングにも利用でき、タイミング度にブザー音を鳴らすものとしても良い。
【００８５】
Ｃ．変形例：
本実施例では、プリンタ２０側から積極的にトリガをかける印刷システムについて説明したが、リモコン５０側からもトリガをかけることができる構成であっても良い。図９は、リモコン５０側からのトリガ処理のフローチャートである。この処理は、リモコン５０の専用ボタンである用紙残量の確認ボタン５３ｃの操作タイミングで、プリンタ２０のＣＰＵとリモコン５０のＣＰＵとのそれぞれで実行される。なお、図９（ａ）はプリンタ２０側での処理を、図９（ｂ）はリモコン５０側での処理を、それぞれ示している。
【００８６】
図示するように、処理が開始されると、リモコン５０は、プリンタ２０側へトリガをかける（ステップＳ９００）。具体的には、リモコン通信制御回路５６，通信部５７を介して、トリガ信号を発信する。
【００８７】
プリンタ２０は、リモコン５０側から送信されたトリガ信号を受信し、許可信号をリモコン５０へ送信する（ステップＳ９２０）。この信号を受信したリモコン５０は、用紙残量の情報を要求する信号を送信する（ステップＳ９４０）。プリンタ２０は、リモコン５０側からの要求信号を受けて、用紙残量を確認する（ステップＳ９６０）。なお、用紙残量は、用紙残量検出部４３からの検出値に基づいて判断される。例えば、検出された給紙容器内の用紙の厚みが、所定値以下である場合には、用紙残量が少ないと判断される。
【００８８】
続いて、プリンタ２０は、判断した用紙残量の情報をリモコン５０へ送信し（ステップＳ９７０）、プリンタ２０側での処理を終了する。リモコン５０は、用紙残量の情報を受信し、これをリモコン表示部５４に表示し（ステップＳ９８０）、リモコン５０側の処理を終了する。リモコン表示部５４への表示態様は、図形であっても、文字であっても良い。
【００８９】
こうしたリモコン５０側からもトリガをかけることができる構成とすることで、ユーザが意図したタイミング、例えば、印刷を実行する前などに、リモコン５０側でプリンタ２０の状況を把握することができる。
【００９０】
なお、本実施例、変形例ともに、トリガ信号の受信に対して相手側に許可信号を送信する構成としたが、こうすることで、複数のプリンタに対して、リモコンが１つである場合であっても、通信する相手を特定、交渉（いわるゆネゴシエーション）し、情報を的確に送受信することができる。
【００９１】
本実施例では、プリンタで設定された所定タイミングをトリガとして、インク残量、インク種類、用紙残量、用紙種類などのステータス情報を、プリンタ側からリモコン側へ積極的に送信するものとしたが、例えば、前回の印刷条件を送信するものとしても良い。印刷条件としては、「きれい」、「はやい」などの印刷モード、「２面」、「４面」、「６面」などのレイアウトなどが考えられる。こうした情報を、リモコン側から要求しなくても、再度、同様の条件で印刷を実行することができる。
【００９２】
本実施例では、プリンタで発生するイベントなどをトリガとして、印刷終了などの動作情報を、プリンタ側からリモコン側へ積極的に送信し、ブザー音を鳴らすものとしたが、その他の動作情報として、例えば印刷中や、クリーニング中などを送信するものとしても良い。例えば、プリンタは、印刷実行から所定タイミング毎に印刷処理中であるか否かを判断し、印刷中である場合にはリモコンに信号を送信する。リモコンは、これを受けて、印刷中の図形等をリモコン表示部に表示する。所定タイミング毎の印刷中である旨の信号が送信されなくなり、印刷終了の信号が送信されると、リモコンは、印刷中の表示を中止し、ブザー音を鳴らす。同様に、印字ヘッド３７のクリーニングの実行のタイミングで、クリーニング中の信号を送信する。こうした各種動作情報を送信することで、リモコン側で現在のプリンタの動作状況を把握することができる。
【００９３】
また、所定の使用時間の経過後に、ユーザ操作によるクリーニングの時期である旨を、リモコンに表示させるものとしても良い。この場合、プリンタで判断するユーザ操作のクリーニング時期をトリガとして、リモコンに情報を送信することで、ユーザにクリーニング時期を認識させることができる。さらには、リモコン操作によりクリーニングを実行することも可能である。
【００９４】
以上、本発明の実施の形態について説明したが、本発明はこうした実施の形態に何ら限定されるものではなく、本発明の趣旨を逸脱しない範囲内において様々な形態で実施し得ることは勿論である。本実施例の印刷システムは、メモリカードＭＣ内の画像を表示する液晶ディスプレイ２２を備えたプリンタ２０と、同様に画像を表示できるリモコン表示部５４を備えたリモコン５０とから構成したが、例えば、プリンタとリモコンとＴＶモニタとからなる印刷システムであっても良い。この場合、プリンタに装着したメモリカードＭＣ内の画像はＴＶモニタに表示し、リモコンによる印刷設定などもＴＶモニタの画面上で実行する。こうすることで、プリンタ、リモコンには、画像表示までの機能を有する表示部は必要なく、簡易なステータス情報、例えば図形などの表示を行なえる程度の表示部で十分となる。
【図面の簡単な説明】
【００９５】
【図１】本発明の一実施例としての印刷システムを示す概略構成図である。
【図２】プリンタの内部の概略構成を示したブロック図である。
【図３】リモコンの内部の概略構成を示したブロック図である。
【図４】インク残量情報送信時のトリガ処理のフローチャートである。
【図５】「インク残量」のレベルを示す模式図の一例である。
【図６】リモコンの外観図である。
【図７】印刷動作終了送信時のトリガ処理のフローチャートである。
【図８】「紙づまり」を示す模式図の一例である。
【図９】リモコン側からのトリガ処理のフローチャートである。
【符号の説明】
【００９６】
１０...印刷システム
２０...プリンタ
２２...液晶ディスプレイ
２４...操作パネル
２６...カードスロット
３０...制御ユニット
３１...モータ駆動回路
３２...ヘッド駆動回路
３３...通信制御回路
３７...印字ヘッド
３８...通信部
４２...インク残量検出部
４３...用紙残量検出部
４４...用紙種類検出部
４５...トレー残存検出部
５０...リモコン
５２...リモコン操作部
５２ａ...電源ボタン
５２ｂ...メニューボタン
５２ｃ...ＯＫボタン
５２ｄ...方向ボタン
５３ａ，５３ｂ，５３ｃ，５３ｄ...確認ボタン
５４...リモコン表示部
５５...リモコン制御ユニット
５６...リモコン通信制御回路
５７...通信部
５８...ブザー回路
５９...電源管理回路
【図１】
2006116834.tif 000003
【図２】
2006116834.tif 000004
【図３】
2006116834.tif 000005
【図４】
2006116834.tif 000006
【図５】
2006116834.tif 000007
【図６】
2006116834.tif 000008
【図７】
2006116834.tif 000009
【図８】
2006116834.tif 000010
【図９】
2006116834.tif 000011